(57)【要約】【課題】開閉操作時におけるスライド蓋部材のベース蓋部材に対するガタつきを抑止でき、安価に製造されてなり、耐久性に優れ、かつ、設計の自由度に優れる蓋付き装置を提供すること。【解決手段】蓋付き装置の蓋体を、装置本体に枢支されている枢支端部を持ち枢支端部を中心に装置本体に対して回動するベース蓋部材と、ベース蓋部材に固定されている固定部と固定部に対してスライド可能に係合しているスライド部とを持つスライドレール部材と、スライド部に固定されているスライド蓋部材と、で構成し、スライド蓋部材とベース蓋部材との少なくとも一方の枢支端部側の部分に、他方と係止するストッパ部を設ける。ストッパ部がスライド蓋部材またはベース蓋部材と係止することで、開閉操作時におけるスライド蓋部材のベース蓋部材に対するガタつきを抑止できる。【選択図】図６
2008037203.tif 000002
【特許請求の範囲】
【請求項１】
装置本体と、該装置本体に対して回動して該装置本体を開閉する蓋体と、を持ち、
該蓋体は、該装置本体に枢支されている枢支端部を持ち該枢支端部を中心に該装置本体に対して回動するベース蓋部材と、該ベース蓋部材に固定されている固定部と該固定部に対してスライド可能に係合しているスライド部とを持つスライドレール部材と、該スライド部に固定されているスライド蓋部材と、を持ち、
該スライド蓋部材と該ベース蓋部材との少なくとも一方は、該枢支端部側の部分に、他方と係止するストッパ部を持つことを特徴とする蓋付き装置。
【請求項２】
前記ストッパ部は、前記スライド蓋部材における両方の側端部に形成され、断面略Ｌ字状をなし、前記ベース蓋部材の側面の一部を包み込むとともに前記ベース蓋部材のなかで前記装置本体に対面する面とスライド可能に係止する請求項１に記載の蓋付き装置。
【発明の詳細な説明】
【技術分野】
【０００１】
本発明は、装置本体と、装置本体に対して回動して装置本体の少なくとも一部を開閉する蓋体と、を持つ蓋付き装置に関する。本発明の蓋付き装置は、例えば車載用のコンソールボックスなどとして使用できる。
【背景技術】
【０００２】
蓋付き装置は、装置本体と蓋体とを持つ装置である。蓋体は、装置本体に対して回動して、装置本体の少なくとも一部を開閉する。蓋付き装置の一種として、車載用のコンソールボックスが挙げられる。コンソールボックスは、箱状のコンソールボックス本体（装置本体）と、蓋状のコンソールリッド（蓋体）とをもち、コンソールボックス本体の内部に小物や飲料を保持する。コンソールリッドは、コンソールボックス本体に枢支され、コンソールボックス本体に対して回動する。コンソールリッドは、回動して、コンソールボックス本体の内部に形成されている収容空間を開閉する。
【０００３】
蓋付き装置のなかには、蓋体の一部が装置本体に対してスライドするものがある。この種の蓋付き装置における蓋体は、ベース蓋部材とスライド蓋部材とを持つ。ベース蓋部材は装置本体に枢支される。スライド蓋部材はベース蓋部材に対してスライド可能に保持される。スライド蓋部材がベース蓋部材に対してスライドすることで、装置本体を部分的に開くことや、スライド蓋部材に他の機能を付与することができる。例えば、コンソールリッドの一部（スライド蓋部材）が、コンソールボックス本体に対してスライドするコンソールボックスでは、スライド蓋部材をアームレストとして利用することができる。
【０００４】
この種の蓋付き装置において、ベース蓋部材は、装置本体に枢支される枢支端部を持ち、装置本体に対して回動して装置本体を開閉する。一般には、ユーザーが、ベース蓋部材のなかで枢支端部と逆側に位置する操作端部を掴み、蓋体を手動で回動させる。ところで場合によっては、ユーザーが、スライド蓋部材のなかで操作端部側の部分を掴み、蓋体を手動で回動させる可能性もある。この場合には、スライド蓋部材がベース蓋部材に対して変形する。詳しくは、スライド蓋部材が、ベース蓋部材に保持されている部分を中心として捻れる。このとき、てこの原理によって、スライド蓋部材のなかで枢支端部側の部分が、操作端部側の部分に比べて大きく変形する。このため、スライド蓋部材は、特に枢支端部側の部分がベース蓋部材に対してガタつく。
【０００５】
スライド蓋部材をベース蓋部材に係止させれば、このガタつきを低減できる可能性がある。例えば、特許文献１に紹介されているコンソールボックスでは、ベース蓋部材の二側面に、それぞれ、長手方向に延びるラックが形成されている。スライド蓋部材には、それぞれのラックと噛み合うピニオンが軸支されている。特許文献１に紹介されているコンソールボックスでは、ピニオンがラックに噛み合っているために、開閉操作時のスライド蓋部材のベース蓋部材に対する変形が抑制される。また、スライド蓋部材がベース蓋部材の側面に対して固定されるため、スライド蓋部材がベース蓋部材に対して捻れ難くなる。このため、特許文献１に紹介されているコンソールボックスによると、開閉操作時におけるスライド蓋部材のベース蓋部材に対するガタつきが低減する。
【０００６】
しかし、特許文献１に紹介されているコンソールボックスでは、スライド蓋部材をベース蓋部材に対してスライドさせるためのスライド部材として、ラックアンドピニオン機構からなるものを用いている。換言すると、特許文献１に紹介されているコンソールボックスでは、複雑な構造を持つ特殊なスライド部材を必要とする。よって、コンソールボックスの製造コストが高くなる問題がある。また、開閉操作時にスライド部材に直接大きな力が作用するため、スライド部材が破損し易く、耐久性に劣る問題もある。さらに、特許文献１に紹介されているコンソールボックスでは、ベース蓋部材の二側面にラックを形成する必要があり、スライド蓋部材にラックと常に噛み合うピニオンを取り付ける必要がある。このようなラックやピニオンは嵩張るために、特許文献１に紹介されているコンソールボックスは、設計の自由度に劣る問題があった。
【特許文献１】特開２００４−５８８３２号公報
【発明の開示】
【発明が解決しようとする課題】
【０００７】
本発明は上記事情に鑑みて成されたものであり、開閉操作時におけるスライド蓋部材のベース蓋部材に対するガタつきを抑止でき、安価に製造されてなり、耐久性に優れ、かつ、設計の自由度に優れる蓋付き装置を提供することを目的とする。
【課題を解決するための手段】
【０００８】
上記課題を解決する本発明の蓋付き装置は、装置本体と、装置本体に対して回動して装置本体を開閉する蓋体と、を持ち、蓋体は、装置本体に枢支されている枢支端部を持ち枢支端部を中心に装置本体に対して回動するベース蓋部材と、ベース蓋部材に固定されている固定部と固定部に対してスライド可能に係合しているスライド部とを持つスライドレール部材と、スライド部に固定されているスライド蓋部材と、を持ち、スライド蓋部材とベース蓋部材との少なくとも一方は、枢支端部側の部分に、他方と係止するストッパ部を持つことを特徴とする。
【０００９】
本発明の蓋付き装置は、下記の（１）を備えるのが好ましい。
（１）上記ストッパ部は、上記スライド蓋部材における両方の側端部に形成され、断面略Ｌ字状をなし、上記ベース蓋部材の側面の一部を包み込むとともに上記ベース蓋部材のなかで上記装置本体に対面する面とスライド可能に係止する。
【発明の効果】
【００１０】
本発明の蓋付き装置は、スライド蓋部材とベース蓋部材との少なくとも一方が、ユーザーが蓋体を開閉操作する際にガタつきが生じやすい部分、すなわち枢支端部側の部分（操作端部と逆側）に、ストッパ部を持つ。このストッパ部は、他方と係止する。すなわち、スライド蓋部材がストッパ部を持つ場合、ストッパ部はベース蓋部材と係止する。ベース蓋部材がストッパ部を持つ場合、ストッパ部はスライド蓋部材と係止する。このため、本発明の蓋付き装置によると、開閉操作時におけるガタつきが効率よく抑制される。また、ストッパ部は、スライド蓋部材とベース蓋部材との少なくとも一方の、枢支端部側の部分に形成されている。すなわちストッパ部は、スライド蓋部材の長手方向全体に設けられているのではなくベース蓋部材の長手方向全体に設けられているのでもない。このため、本発明の蓋付き装置は、設計の自由度に優れる。さらに、本発明の蓋付き装置において、スライド蓋部材のベース蓋部材に対するガタつきを抑える手段（ストッパ部）は、スライド蓋部材をベース蓋部材に対してスライドさせる手段（スライドレール部材）とは別に設けられている。したがって、スライドレール部材としては一般的なものを使用でき、製造コストを低減できる。さらに、ストッパ部をスライドレール部材とは別体で設けたことで、蓋付き装置の耐久性が向上する。
【００１１】
上記（１）を備える本発明の蓋付き装置によると、ストッパ部を堅牢かつ単純な構造にできる。このため、上記（１）を備える本発明の蓋付き装置は、より一層安価に製造されてなり、かつ、耐久性に優れる。また、ストッパ部がスライド蓋部材の両方の側端部に形成されているため、開閉操作時におけるスライド蓋部材のベース蓋部材に対するガタつきを、より一層確実に抑制できる。
【発明を実施するための最良の形態】
【００１２】
本発明の蓋付き装置における装置本体には、上述した車載用のコンソールボックス以外の機能を付与しても良い。例えば、車載用のカップホルダに代表される各種の収容装置や、電子機器などの操作パネル等である。また、スライド蓋部材には、アームレスト以外の機能を付与しても良い。例えば、テーブル、カップホルダ等である。
【００１３】
本発明の蓋付き装置において、スライド蓋部材は、ベース蓋部材に対してスライドすれば良く、スライド蓋部材とベース蓋部材との装置本体に対する取付位置は特に問わない。例えば、ベース蓋部材の外側にスライド蓋部材を配しても良いし、ベース蓋部材と装置本体との間にスライド蓋部材を配しても良い。
【実施例】
【００１４】
以下、本発明の蓋付き装置を図面を基に説明する。
【００１５】
（実施例）
実施例の蓋付き装置は、車載用のコンソールボックスである。実施例の蓋付き装置におけるスライド蓋部材は、コンソールボックスの収容空間を開閉するコンソールリッドの一部を構成するとともに、アームレストとしての機能を持つ。実施例の蓋付き装置は上記（１）を備える。実施例の蓋付き装置を模式的に表す斜視図を図１〜図４に示す。詳しくは、図１は実施例の蓋付き装置を上方から見た様子を模式的に表す斜視図である。図２〜図４は実施例の蓋付き装置において蓋体が動作している様子を模式的に表す斜視図である。実施例の蓋付き装置における蓋体を上方から見た様子を模式的に表す分解斜視図を図５に示す。実施例の蓋付き装置におけるスライド蓋部材を下方から見た様子を模式的に表す斜視図を図６に示す。実施例の蓋付き装置におけるベース蓋部材を下方から見た様子を模式的に表す斜視図を図７に示す。以下、実施例において上、下、左、右、前、後とは図１および図６に示す上、下、左、右、前、後を指すものとする。
【００１６】
実施例の蓋付き装置は、車載用のコンソールボックスであり、自動車の運転席と助手席との間に配設される。図１に示すように、実施例の蓋付き装置は、装置本体１と蓋体２とを持つ。装置本体１は、コンソールボックス本体１０（図４）と小型トレイ１１（図２）とを持つ。コンソールボックス本体１０は、箱状をなし、内部に第１の収容空間１００を形成する。小型トレイ１１は、箱状をなし、内部に第２の収容空間１１０を形成する。小型トレイ１１は、コンソールボックス本体１０に枢支されるトレイ枢支部１２を持つ。小型トレイ１１はコンソールボックス本体１０の上部前側に枢支され、図２および図４に示すように、コンソールボックス本体１０に対して回動して、第１の収容空間１００を開閉する。
【００１７】
蓋体２は、ベース蓋部材３０と、スライドレール部材４０と、スライド蓋部材５０と、ロック手段６０とを持つ。
【００１８】
ベース蓋部材３０は、図５および図７に示すように、略板状をなす。ベース蓋部材３０の下面前方には、下方に延びる腕状の枢支端部３１が形成されている。この枢支端部３１は、小型トレイ１１とともにコンソールボックス本体１０の上部前側に枢支されている。ベース蓋部材３０は枢支端部３１を中心にコンソールボックス本体１０に対して回動する。また、ベース蓋部材３０と小型トレイ１１とは、コンソールボックス本体１０に対して別々に回動する。図５に示すように、ベース蓋部材３０の前側上面は、カバー体３２で覆われている。ベース蓋部材３０の左右端部には、上方に延びるリブ状の位置決め部３３が形成されている。図７に示すように、ベース蓋部材３０の下面前側には、下後方に向けて延びる舌状のケースストッパ部３４が形成されている。また、ベース蓋部材３０の枢支端部３１側における左側端部には、左側に延びる耳状のベース側ストッパ部３５が形成されている。ベース蓋部材３０の枢支端部３１側における右側端部にもまた、右側に延びる耳状のベース側ストッパ部３５が形成されている。ベース蓋部材３０のなかで、枢支端部３１と逆側の端部が操作端部３６となる。
【００１９】
スライドレール部材４０は、図５に示すように、レール状をなす固定部４１と、レール状をなすスライド部４２とを持つ。固定部４１は長手方向を前後に向けてベース蓋部材３０の上面に固定されている。スライド部４２は固定部４１に対してスライド可能に係合している。スライド部４２は固定部４１に対して前後方向にスライドする。
【００２０】
スライド蓋部材５０は、図５および図６に示すように、下面と前面とが開口した略箱状をなす。スライド蓋部材５０の下面は、スライドレール部材４０のスライド部４２に固定されている。スライドレール部材４０はスライド蓋部材５０の内部に収容されている。また、ベース蓋部材３０の上面と両側面と後側面ともまたスライド蓋部材５０の内部に収容されている。スライド蓋部材５０は、スライドレール部材４０のスライド部４２に伴って、ベース蓋部材３０に対して前後方向にスライドし、図１に示す通常位置と図３に示す引出し位置との間を移動する。スライド蓋部材５０をアームレストとして利用する場合には、スライド蓋部材５０を通常位置から引出し位置に移動させる。ベース蓋部材３０はコンソールボックス本体１０に枢支されているため、スライド蓋部材５０はコンソールボックス本体１０に対してもスライドする。また、スライド蓋部材５０のベース蓋部材３０に対する上下方向の距離は、ベース蓋部材３０の位置決め部３３によって規制されている。このため、例えばスライド蓋部材５０に下向きの荷重を加えつつスライド操作した場合などにも、スライドレール部に過大な荷重が加わることはなく、スライド蓋部材５０はベース蓋部材３０に対して滑らかにスライドする。
【００２１】
図６に示すように、スライド蓋部材５０の枢支端部３１側の部分のなかで、左右の側端部にはスライド側ストッパ部５１が形成されている。スライド側ストッパ部５１は、断面略Ｌ字状をなす。詳しくは、各スライド側ストッパ部５１は、下方に延びる基部５３と、基部５３の先端から中央部側に延びるストッパ係止部５４と、からなる。基部５３はベース蓋部材３０の側面の一部を包み込む。後述するように、スライド蓋部材５０を引出し位置から通常位置にスライドさせると、スライド側ストッパ部５１はベース蓋部材３０に形成されているベース側ストッパ部３５の下面（すなわち装置本体１に対面する面）とスライド可能に係止する。
【００２２】
ロック手段６０は、コンソールボックス本体１０に取り付けられている本体側ロック部６１（図４）と、小型トレイ１１に取り付けられているトレイ側ロック部６２（図２）と、ベース蓋部材３０に取り付けられているベース側ロック部６３（図２）と、からなる。ベース側ロック部６３は、本体側ロック部６１と脱着可能に係合し、トレイ側ロック部６２ともまた脱着可能に係合する。
【００２３】
実施例の蓋付き装置の動作を以下に説明する。
【００２４】
図１に示すように、第１の収容空間１００を閉じる位置（閉位置）に蓋体２を配しているときには、小型トレイ１１もまた第１の収容空間１００を閉じる。したがって、このとき蓋体２は、第２の収容空間１１０をも閉じる。また、このとき本体側ロック部６１とベース側ロック部６３とが係合して、蓋体２が閉位置にロックされる。また、このとき、ベース蓋部材３０のケースストッパ部３４が、小型トレイ１１のトレイ枢支部１２上面に弾接する。このため、小型トレイ１１はトレイ閉位置に固定される。なお、このとき、ベース側ロック部６３とトレイ側ロック部６２との係合は解除されている。
【００２５】
蓋体２を開位置に配した状態で、ユーザーがスライド蓋部材５０を後方に引き出すと、スライドレール部材４０のスライド部４２が固定部４１に対してスライドし、スライド部４２に固定されているスライド蓋部材５０が、固定部４１を固定しているベース蓋部材３０に対してスライドする。したがって、ユーザーはスライド蓋部材５０をアームレストとして利用できる（図３）。
【００２６】
スライド蓋部材５０を引出し位置から通常位置にスライドさせ、蓋体２を閉位置に配した状態で、本体側ロック部６１とベース側ロック部６３との係合を解除すると、蓋体２が枢支端部３１を中心に回動可能になる。したがって、このときユーザーが蓋体２の操作端部３６側の部分を把持して回動させると、蓋体２は図２に示すように、第１の収容空間１００を開く位置（開位置）に配される。このとき、ベース側ロック部６３とトレイ側ロック部６２との係合は解除されたままであり、小型トレイ１１は第１の収容空間１００を閉じる位置（トレイ閉位置）に配されたままである。したがって、このときユーザーは、小型トレイ１１の第２の収容空間１１０を小物入れとして使用できる。
【００２７】
そして、図４に示すように、小型トレイ１１をコンソールボックス本体１０に対して回動させると、小型トレイ１１は第１の収容空間１００を開く位置（トレイ開位置）に配される。そしてこのとき、ベース側ロック部６３とトレイ側ロック部６２とを係合させると、小型トレイ１１はトレイ開位置にロックされる。したがって、このときユーザーは、コンソールボックス本体１０の第１の収容空間１００に、比較的大型の荷物を出し入れできる。
【００２８】
ところで、実施例の蓋付き装置では、スライド蓋部材５０の枢支端部３１側の部分にスライド側ストッパ部５１が形成され、ベース蓋部材３０の枢支端部３１側の部分にはベース側ストッパ部３５が形成されている。したがって、スライド蓋部材５０を引出し位置から通常位置にスライドさせると、スライド側ストッパ部５１がベース側ストッパ部３５とスライド可能に係止する。したがって、スライド蓋部材５０を通常位置に配した状態で、蓋体２を開操作する（蓋体２を閉位置から開位置に回動させる）際には、スライド側ストッパ部５１とベース側ストッパ部３５との係止によって、スライド蓋部材５０のベース蓋部材３０に対するガタつきが抑制される。
【００２９】
例えば、蓋付き装置にスライド側ストッパ部５１やベース側ストッパ部３５を設けない場合には、ユーザーがスライド蓋部材５０の操作端部３６側の部分を把持して蓋体２を開操作すると、スライド蓋部材５０にはスライドレール部材４０を中心とした捻れ方向の力が加わる場合がある。このとき、スライド蓋部材５０のなかで枢支端部３１側の部分は、ベース蓋部材３０に対して大きく捻れ変形する。よって、スライド蓋部材５０がベース蓋部材３０に対してガタつく。実施例の蓋付き装置によると、上述したスライド側ストッパ部５１とベース側ストッパ部３５との係止によって、このガタつきが大きく低減する。
【００３０】
実施例の蓋付き装置では、スライド側ストッパ部５１がスライド蓋部材５０のなかで枢支端部３１側の部分にのみ形成され、ベース側ストッパ部３５がベース蓋部材３０のなかで枢支端部３１側の部分にのみ形成されている。このため、実施例の蓋付き装置では、その他の部分を様々な形状にできる。よって、実施例の蓋付き装置は設計の自由度に優れる。
【００３１】
実施例の蓋付き装置では、スライド側ストッパ部５１やベース側ストッパ部３５がスライドレール部材４０とは別体で設けられているため、スライドレール部材４０として汎用品を使用できる。よって、実施例の蓋付き装置は安価に製造できる。さらに、スライド側ストッパ部５１やベース側ストッパ部３５がスライドレール部材４０とは別体で設けられているため、開操作時にスライドレール部材４０に加わる捻れ方向の力が小さくて済む。よって、実施例の蓋付き装置は耐久性にも優れる。実施例の蓋付き装置では、スライド側ストッパ部５１がスライド蓋部材５０の両方の側端部に形成され、ベース側ストッパ部３５がベース蓋部材３０の両方の側端部に形成されているため、開閉操作時におけるスライド蓋部材５０のベース蓋部材３０に対するガタつきが、より確実に抑制される。
【００３２】
なお、実施例の蓋付き装置には、２つのストッパ部（スライド側ストッパ部５１、ベース側ストッパ部３５）を設けたが、本発明の蓋付き装置は、一方のストッパ部のみを持つものであっても良い。またスライド側ストッパ部５１をスライド蓋部材５０における両方の側端部に形成し、ベース側ストッパ部３５をベース蓋部材３０における両方の側端部に形成したが、これらのストッパ部を一方の側端部にのみ形成しても良い。この場合にも、実施例の蓋付き装置には劣るが、スライド蓋部材５０のベース蓋部材３０に対するガタつきを抑制できる。
【００３３】
さらに、実施例の蓋付き装置では、スライドレール部材４０のスライド部４２をスライド蓋部材５０の下面に取り付け、スライドレール部材４０の固定部４１をベース蓋部材３０の上面に取り付けたが、これらを他の位置に取り付けても良い。例えば、スライド部４２をスライド蓋部材５０の一方の側面に取り付けるとともに、固定部４１をベース蓋部材３０の一方の側面に取り付けても良い。この場合には、スライド蓋部材５０やベース蓋部材３０のなかでスライドレール部材４０を取り付けた側面と対向する側面に、ストッパ部を形成すればよい。
【００３４】
なお、スライドレール部材４０をスライド蓋部材５０の下面とベース蓋部材３０の上面とに取り付ける場合には、スライドレール部材４０をスライド蓋部材５０の側面とベース蓋部材３０の側面とに取り付ける場合に比べて、スライド蓋部材５０がベース蓋部材３０に対して安定にスライドする。スライド蓋部材５０がベース蓋部材３０と装置本体１との間に配されるのであれば、スライドレール部材４０をスライド蓋部材５０の上面とベース蓋部材３０の下面とに取り付ける場合に、スライド蓋部材５０がベース蓋部材３０に対して安定にスライドする。
【図面の簡単な説明】
【００３５】
【図１】実施例の蓋付き装置を上方から見た様子を模式的に表す斜視図である。
【図２】実施例の蓋付き装置において蓋体が動作している様子を模式的に表す斜視図である。
【図３】実施例の蓋付き装置において蓋体が動作している様子を模式的に表す斜視図である。
【図４】実施例の蓋付き装置において蓋体が動作している様子を模式的に表す斜視図である。
【図５】実施例の蓋付き装置における蓋体を上方から見た様子を模式的に表す分解斜視図である。
【図６】実施例の蓋付き装置におけるスライド蓋部材を下方から見た様子を模式的に表す斜視図である。
【図７】実施例の蓋付き装置におけるベース蓋部材を下方から見た様子を模式的に表す斜視図である。
【符号の説明】
【００３６】
１：装置本体、２：蓋体、３０：ベース蓋部材、４０：スライドレール部材、５０：スライド蓋部材、６０：ロック手段、３１：枢支端部、３５：ベース側ストッパ部、４１：固定部、４２：スライド部、５１：スライド側ストッパ部
【図１】
2008037203.tif 000003
【図２】
2008037203.tif 000004
【図３】
2008037203.tif 000005
【図４】
2008037203.tif 000006
【図５】
2008037203.tif 000007
【図６】
2008037203.tif 000008
【図７】
2008037203.tif 000009